(57)【特許請求の範囲】
【請求項１】
右レンズと、
左レンズと、
収納空間と右空間と左空間とを区画する区画板部であって、前記収納空間は、視差画像を表示する表示装置の収納される空間であり、前記右空間は、前記収納空間と連通するとともに前記右レンズと対向する空間であって前記右空間に対し前記収納空間とは反対側に前記右レンズが位置する空間であり、前記左空間は、前記収納空間と連通するとともに前記左レンズと対向する空間であって前記左空間に対し前記収納空間とは反対側に前記左レンズが位置する空間である前記区画板部と、を備え、
前記区画板部は、前記右レンズと前記左レンズとを保持する前板部と、前記前板部から前記収納空間まで延びて、前記右空間と前記左空間とを取り囲む側板部と、前記前板部と対向して前記収納空間の一部を区画する後板部と、前記前板部及び前記後板部の間に位置する下板部と、前記下板部と対向する上板部とを含み、
前記収納空間における前記表示装置の収納される領域である収納領域の大きさを変更するように構成されたサイズ変更部をさらに備え、
前記サイズ変更部は、前記区画板部の一部を構成するとともに前記区画板部から前記収納空間内に突き出ていない第１状態と、前記区画板部から前記収納空間内に突き出た第２状態と、に変位可能に構成され、前記第２状態における前記収納領域の大きさは、前記第１状態における前記収納領域の大きさよりも小さい
３Ｄビューワ。
【請求項２】
前記右レンズと前記左レンズとの並ぶ方向が左右方向であって、
前記前板部における前記左右方向の両端部から、前記収納空間とは反対側に延びる延長部をさらに備える
請求項１に記載の３Ｄビューワ。
【請求項３】
前記右レンズと前記左レンズとの並ぶ方向が左右方向であって、
前記サイズ変更部は、前記収納領域が有する前記左右方向の大きさを変える左右サイズ変更部を含む
請求項１または２に記載の３Ｄビューワ。
【請求項４】
前記右レンズと前記左レンズとの並ぶ方向が左右方向であって、
前記右レンズと前記右空間との対向する方向が前後方向であって、
前記左右方向および前記前後方向と直交する方向が上下方向であって、
前記サイズ変更部は、前記収納領域が有する前記上下方向の大きさを変える上下サイズ変更部を含む
請求項１〜３のいずれか一項に記載の３Ｄビューワ。
【請求項５】
前記サイズ変更部は、前記収納領域の大きさを３段階以上に変更するように構成されている
請求項１〜４のいずれか一項に記載の３Ｄビューワ。
【請求項６】
前記右レンズと前記左レンズとの並ぶ方向が左右方向であって、
前記右レンズと前記右空間との対向する方向が前後方向であって、
前記左右方向および前記前後方向と直交する方向が上下方向であって、
前記前板部における前記上下方向の下部のうち前記左右方向の中央部、および、前記前板部の下部と繋がる前記下板部のうち前記左右方向の中央部に、前記前板部および前記下板部から前記右空間および前記左空間に向けて窪む鼻よけ部をさらに備える
請求項１〜５のいずれか一項に記載の３Ｄビューワ。
【請求項７】
前記鼻よけ部は、前記前板部から前記下板部にかけて形成された２つの切れ目に挟まれる部分が、前記右空間および前記左空間に向けて押し込まれた形状を有する
請求項６に記載の３Ｄビューワ。
【請求項８】
右レンズと、
左レンズと、
収納空間と右空間と左空間とを区画する区画板部であって、前記収納空間は、視差画像を表示する表示装置の収納される空間であり、前記右空間は、前記収納空間と連通するとともに前記右レンズと対向する空間であって前記右空間に対し前記収納空間とは反対側に前記右レンズが位置する空間であり、前記左空間は、前記収納空間と連通するとともに前記左レンズと対向する空間であって前記左空間に対し前記収納空間とは反対側に前記左レンズが位置する空間である前記区画板部と、を備え、
前記区画板部は、前記右レンズと前記左レンズとを保持する前板部と、前記前板部から前記収納空間まで延びて、前記右空間と前記左空間とを取り囲む側板部と、前記前板部と対向して前記収納空間の一部を区画する後板部と、前記前板部及び前記後板部の間に位置する下板部と、前記下板部と対向する上板部とを含み、
前記右レンズと前記右空間との対向する方向が前後方向であって、
前記前後方向における前記表示装置の位置を規制する位置規制部をさらに備え、
前記位置規制部は、前記側板部から前記下板部にかけて形成された２つの切れ目に挟まれる部分が、前記区画板部の区画する空間に向けて押し込まれた形状を有する凹設規制部を含む
３Ｄビューワ。
【請求項９】
前記位置規制部は、前記上板部から、前記右空間および前記左空間と前記収納空間との境界部分に向けて延設された延設規制部を含む
請求項８に記載の３Ｄビューワ。
【請求項１０】
前記右レンズと前記右空間との対向する方向が前後方向であって、
前記前後方向において、前記上板部と前記後板部との間には、前記収納空間への前記表示装置の差し込み口である隙間があいている
請求項１〜９のいずれか一項に記載の３Ｄビューワ。
【請求項１１】
前記区画板部には、前記収納空間に収納された前記表示装置の備えるカメラを露出させるための孔、前記収納空間に収納された前記表示装置の備えるイヤホンジャックを露出させるための孔、および、前記収納空間に収納された前記表示装置の備えるコネクタを露出させるための孔の少なくとも１つが形成されている
請求項１〜１０のいずれか一項に記載の３Ｄビューワ。
【発明の詳細な説明】
【技術分野】
【０００１】
本発明は、３Ｄビューワに関する。
【背景技術】
【０００２】
人間が物を立体として認識できる理由は、その物を、左右の２つの目によって互いに異なる角度から見ているからである。したがって、人間の両眼の視差と同じ角度差になるように、一つの物を互いに異なる角度から見た少なくとも２つの画像を、対象者の左右の目にそれぞれ振り分けて提示すれば、左右の目に映る画像が脳内で同時に知覚されて合成されるため、対象者は立体的な感覚を得ることができる。そして、表示装置に表示されたこのような視差画像を見るためのビューワが提案されている。
【０００３】
例えば、双眼レンズと、表示装置を支持する支持手段と、双眼レンズにおける２つのレンズの間から支持手段に向かって延びる仕切り板と、双眼レンズと支持手段と仕切り板とを繋ぐアームとを備えるビューワが提案されている。使用者は、仕切り板と支持手段との間に、画像の表示される表示面を双眼レンズ側に向けて表示装置を挟み、双眼レンズを通して、表示装置に表示される視差画像を見る（特許文献１参照）。
【０００４】
また、表示装置を載置する台座部を有するビューワも提案されている。こうした構成によれば、机などの台上に台座部を置き、台座部に表示装置を載置することによって、使用者は、ビューワや表示装置を手で持つことなく、観察姿勢を安定させて視差画像を見ることができる（特許文献２参照）。
【先行技術文献】
【特許文献】
【０００５】
【特許文献１】特開２０１３−１９０４５０号公報
【特許文献２】登録実用新案第３１８５４５８号公報
【発明の概要】
【発明が解決しようとする課題】
【０００６】
ところで、上記特許文献１や特許文献２に記載のビューワでは、レンズと表示装置との間に外光等の外部からの光が入り込みやすいため、こうした外部からの光の影響を受けて、表示装置に表示される視差画像の視認性が低くなるという問題が生じる。
本発明は、表示装置に表示される視差画像の視認性を高めることのできる３Ｄビューワを提供することを目的とする。
【課題を解決するための手段】
【０００７】
上記課題を解決する３Ｄビューワは、右レンズと、左レンズと、収納空間と右空間と左空間とを区画する区画板部であって、前記収納空間は、視差画像を表示する表示装置の収納される空間であり、前記右空間は、前記収納空間と連通するとともに前記右レンズと対向する空間であって前記右空間に対し前記収納空間とは反対側に前記右レンズが位置する空間であり、前記左空間は、前記収納空間と連通するとともに前記左レンズと対向する空間であって前記左空間に対し前記収納空間とは反対側に前記左レンズが位置する空間である前記区画板部と、を備え、前記区画板部は、前記右レンズと前記左レンズとを保持する前板部と、前記前板部から前記収納空間まで延びて、前記右空間と前記左空間とを取り囲む側板部と、前記前板部と対向して前記収納空間の一部を区画する後板部と、前記前板部及び前記後板部の間に位置する下板部と、前記下板部と対向する上板部とを含み、前記収納空間における前記表示装置の収納される領域である収納領域の大きさを変更するように構成されたサイズ変更部をさらに備え、前記サイズ変更部は、前記区画板部の一部を構成するとともに前記区画板部から前記収納空間内に突き出ていない第１状態と、前記区画板部から前記収納空間内に突き出た第２状態と、に変位可能に構成され、前記第２状態における前記収納領域の大きさは、前記第１状態における前記収納領域の大きさよりも小さい。
【０００８】
上記構成によれば、収納空間に表示装置が収納された状態において、右レンズおよび左レンズと表示装置との間の空間は、前板部と側板部とによって囲まれる。したがって、右レンズおよび左レンズと表示装置との間の空間に外部からの光が入り込みにくくなるため、表示装置に表示される視差画像の視認性が高められる。
【０００９】
上記３Ｄビューワにおいて、前記右レンズと前記左レンズとの並ぶ方向が左右方向であって、上記３Ｄビューワは、前記前板部における前記左右方向の両端部から、前記収納空間とは反対側に延びる延長部をさらに備えてもよい。
【００１０】
上記構成によれば、前板部の両端部に延長部が備えられるため、３Ｄビューワの使用者の視界に外部からの光が入ることが抑えられる。したがって、表示装置に表示される視差画像の視認性が高められる。なお、例えば、延長部の外面は、それに印刷を施すことが可能な構成とすることも可能になるため、こうした延長部の外面を広告や装飾に利用することができる。
【００１３】
上記３Ｄビューワにおいて、前記右レンズと前記左レンズとの並ぶ方向が左右方向であって、前記サイズ変更部は、前記収納領域が有する前記左右方向の大きさを変える左右サイズ変更部を含んでもよい。
【００１４】
上記構成によれば、収納領域が有する左右方向の大きさを変更することが可能である。そのため、例えば、表示装置が有する左右方向の大きさに応じて収納領域の大きさを変更する利用の形態であれば、レンズの画角内から視差画像の一部が外れることを左右の視差画像に対して抑えられる。結果として、視認された左目用の視差画像と、視認された右目用の視差画像とから知覚される立体感に違和感が生じることが抑えられる。
【００１５】
上記３Ｄビューワにおいて、前記右レンズと前記左レンズとの並ぶ方向が左右方向であって、前記右レンズと前記右空間との対向する方向が前後方向であって、前記左右方向および前記前後方向と直交する方向が上下方向であって、前記サイズ変更部は、前記収納領域が有する前記上下方向の大きさを変える上下サイズ変更部を含んでもよい。
【００１６】
上記構成によれば、収納領域が有する上下方向の大きさを変更することが可能であるため、例えば、表示装置が有する上下方向の大きさに応じて収納領域の大きさを変更する利用の形態であれば、視差画像の中心位置とレンズの光軸とのずれを上下方向において抑えることが可能である。
【００１７】
上記３Ｄビューワにおいて、前記サイズ変更部は、前記収納領域の大きさを３段階以上に変更するように構成されていてもよい。
【００１８】
上記構成によれば、収納領域が取り得る大きさの自由度が２段よりも高められるため、例えば、表示装置の大きさに合わせて収納領域の大きさを変える使用の形態であれば、より多様な大きさの表示装置に合わせて収納領域の大きさを調整することができる。
【００１９】
上記３Ｄビューワにおいて、前記右レンズと前記左レンズとの並ぶ方向が左右方向であって、前記右レンズと前記右空間との対向する方向が前後方向であって、前記左右方向および前記前後方向と直交する方向が上下方向であって、上記３Ｄビューワは、前記前板部における前記上下方向の下部のうち前記左右方向の中央部、および、前記前板部の下部と繋がる前記下板部のうち前記左右方向の中央部に、前記前板部および前記下板部から前記右空間および前記左空間に向けて窪む鼻よけ部をさらに備えてもよい。
【００２０】
上記構成によれば、３Ｄビューワの使用者が右レンズと左レンズとを通して視差画像を見るときに、前板部に鼻が当たって視差画像が見難くなることが抑えられる。
【００２１】
上記３Ｄビューワにおいて、前記鼻よけ部は、前記前板部から前記下板部にかけて形成された２つの切れ目に挟まれる部分が、前記右空間および前記左空間に向けて押し込まれた形状を有してもよい。
上記構成によれば、前板部および下板部に切れ目を形成するという簡易な構成の変更によって、上述した機能を有する鼻よけ部の付加が実現できる。
【００２２】
３Ｄビューワにおいて、右レンズと、左レンズと、収納空間と右空間と左空間とを区画する区画板部であって、前記収納空間は、視差画像を表示する表示装置の収納される空間であり、前記右空間は、前記収納空間と連通するとともに前記右レンズと対向する空間であって前記右空間に対し前記収納空間とは反対側に前記右レンズが位置する空間であり、前記左空間は、前記収納空間と連通するとともに前記左レンズと対向する空間であって前記左空間に対し前記収納空間とは反対側に前記左レンズが位置する空間である前記区画板部と、を備え、前記区画板部は、前記右レンズと前記左レンズとを保持する前板部と、前記前板部から前記収納空間まで延びて、前記右空間と前記左空間とを取り囲む側板部と、前記前板部と対向して前記収納空間の一部を区画する後板部と、前記前板部及び前記後板部の間に位置する下板部と、前記下板部と対向する上板部とを含み、前記右レンズと前記右空間との対向する方向が前後方向であって、前記前後方向における前記表示装置の位置を規制する位置規制部をさらに備え、前記位置規制部は、前記側板部から前記下板部にかけて形成された２つの切れ目に挟まれる部分が、前記区画板部の区画する空間に向けて押し込まれた形状を有する凹設規制部を含む。
上記構成によれば、表示装置の位置が前後方向において規制されるため、こうした３Ｄビューワは、収納空間内で表示装置を安定して保持することができる。また、簡易な構成の変更によって、上述した機能を有する位置規制部の付加が実現できる。
【００２４】
上記３Ｄビューワにおいて、前記位置規制部は、前記上板部から、前記右空間および前記左空間と前記収納空間との境界部分に向けて延設された延設規制部を含んでもよい。
上記構成によれば、上板部から境界部分に向けて延設規制部を設けるという簡易な構成の変更によって、上述した機能を有する位置規制部の付加が実現できる。
【００２５】
上記３Ｄビューワにおいて、前記右レンズと前記右空間との対向する方向が前後方向であって、前記前後方向において、前記上板部と前記後板部との間には、前記収納空間への前記表示装置の差し込み口である隙間があいていてもよい。
上記構成によれば、収納空間へ表示装置を収納することが容易である。
【００２６】
上記３Ｄビューワにおいて、前記区画板部には、前記収納空間に収納された前記表示装置の備えるカメラを露出させるための孔、前記収納空間に収納された前記表示装置の備えるイヤホンジャックを露出させるための孔、および、前記収納空間に収納された前記表示装置の備えるコネクタを露出させるための孔の少なくとも１つが形成されていてもよい。
上記構成によれば、表示装置が収納空間に収納された状態で、表示装置の備えるカメラやイヤホンジャックやコネクタを利用することができる。
【発明の効果】
【００２７】
本発明によれば、表示装置に表示される視差画像の視認性を高めることができる。
【図面の簡単な説明】
【００２８】
【図１】第１実施形態の３Ｄビューワの斜視構造を示す斜視図である。
【図２】第１実施形態の３Ｄビューワの内部構造について前板部を手前に倒して示す斜視図である。
【図３】第１実施形態の３Ｄビューワの内部構造について上板部を除いて示す平面図である。
【図４】第１実施形態の３Ｄビューワのブランクを示す平面図である。
【図５】第１実施形態の３Ｄビューワの組み立ての過程を模式的に示す図である。
【図６】第１実施形態の３Ｄビューワの組み立ての過程を模式的に示す図である。
【図７】第１実施形態の３Ｄビューワの組み立ての過程を模式的に示す図である。
【図８】第１実施形態の３Ｄビューワの組み立ての過程を模式的に示す図である。
【図９】第１実施形態の３Ｄビューワの組み立ての過程を模式的に示す図である。
【図１０】第１実施形態の３Ｄビューワの組み立ての過程を模式的に示す図である。
【図１１】第１実施形態の３Ｄビューワの組み立ての過程を模式的に示す図である。
【図１２】第２実施形態の３Ｄビューワの斜視構造を示す斜視図である。
【図１３】第２実施形態の３Ｄビューワにおけるサイズ変更部の一例であって、サイズ変更部による収納領域の大きさの変更の態様を示す斜視図である。
【図１４】第２実施形態の３Ｄビューワにおけるサイズ変更部の一例であって、サイズ変更部による収納領域の大きさの変更の態様を示す斜視図である。
【図１５】第２実施形態の３Ｄビューワにおけるサイズ変更部の一例であって、サイズ変更部による収納領域の大きさの変更の態様を示す斜視図である。
【図１６】第３実施形態の３Ｄビューワの斜視構造を示す斜視図である。
【図１７】第３実施形態の３Ｄビューワの斜視構造を示す斜視図である。
【図１８】第３実施形態の３Ｄビューワの斜視構造を示す斜視図である。
【図１９】（ａ）は、第３実施形態の３Ｄビューワの第１ブランクを示す平面図、（ｂ）は、第３実施形態の３Ｄビューワの第２ブランクを示す平面図である。
【発明を実施するための形態】
【００２９】
（第１実施形態）
図１〜図１１を参照して、３Ｄビューワの第１実施形態について説明する。なお、図１〜図３を参照した説明において、前後上下左右の各向きは、使用者が３Ｄビューワを使用している状態において、３Ｄビューワに対して使用者側を前、使用者と反対側を後、使用者から見た上下左右を上下左右とする向きである。
【００３０】
［３Ｄビューワの特徴］
図１および図２を参照して、第１実施形態の３Ｄビューワの特徴部分について説明する。
【００３１】
図１は、第１実施形態の３Ｄビューワを正面斜め上から見た図であり、図２は、第１実施形態の３Ｄビューワの前面板を手前に倒して、３Ｄビューワを正面斜め上から見た図である。
【００３２】
第１実施形態の３Ｄビューワ１００において、図１および図２に示すように、前面板１には、双眼レンズの取り付けられる位置に２つの貫通孔が設けられ、ここに、双眼レンズが取り付けられた双眼レンズ部２が設けられている。
【００３３】
また、前面板１の左右中央下端には、下面板３にかけて鼻よけ部４が窪んで設けられ、使用者が双眼レンズを通して視差画像を見るときに鼻が当たって見にくくならないようになっている。
【００３４】
また、双眼レンズ部２を設けた前面板１の左右には、左側面板５と右側面板６が手前に延びていて、外光遮蔽板７，８となり、視差画像を見るときに外部からの光が邪魔にならないようになっている。
【００３５】
双眼レンズはプラスチック製で１枚の平坦なプレートに２つのレンズが形成されていて、このプレートが、複数の厚紙を積層し、プレートが収納されるスペースを設けたレンズ取り付け部材によって、前面板１に取り付けられ、双眼レンズ部２が形成されている。
【００３６】
上面板９と背面板１０との間に隙間が設けられていて、携帯端末を収納部１１に収納するときに携帯端末を差し込む差し込み口１２になっている。尚、本実施形態では、背面板１０は上端で折り返されて、２重壁になっている。
【００３７】
このように、双眼レンズ部２と携帯端末の収納部１１の間は、左側面板５、右側面板６、下面板３、および、上面板９からなる外壁で囲まれている。そのため、外部からの光が入りにくくなっていて、携帯端末の視差画像が見えにくくなることが無い。
【００３８】
左側面板５から下面板３にかけて、右側面板６から下面板３にかけて、それぞれに、前後２本の切れ目と２本の切れ目の間を結ぶように設けられた３本の折罫によって、押し込まれて内方に突き出し、携帯端末の下部の位置を固定する側面側携帯端末固定部１３，１４が設けられている。
【００３９】
また、携帯端末のサイズに合わせて収納部１１の左右のサイズを調整する左右サイズ調整部１５，１６と、携帯端末の下側の位置を調整する下部サイズ調整部１７が設けられている。そして、双眼レンズ部２と、携帯端末を収納する収納部１１の間に、２つのレンズを仕切る仕切り板１８が設けられている。仕切り板１８は、上面板９から延びて、下面板３に固定されている。
【００４０】
［３Ｄビューワの構成］
上述の特徴の有する３Ｄビューワ１００の詳細な構成について説明する。
図１が示すように、３Ｄビューワ１００は、上記前面板１を含む前板部ＦＰ、上記背面板１０を含む後板部ＢＰ、上記上面板９を含む上板部ＴＰ、上記下面板３を含む下板部ＵＰ、上記左側面板５を含む左板部ＬＰ、および、上記右側面板６を含む右板部ＲＰを備えている。まず、これらの部材の位置関係について説明する。
【００４１】
互いに対向する前板部ＦＰと後板部ＢＰとの各々は、略同形の略長方形形状を有している。前板部ＦＰおよび後板部ＢＰの延びる方向が左右方向であり、前板部ＦＰと後板部ＢＰとは、左右方向と直交する前後方向に間をあけて向かい合っている。
【００４２】
互いに対向する上板部ＴＰと下板部ＵＰとは、前後方向において前板部ＦＰと後板部ＢＰとの間に位置している。上板部ＴＰと下板部ＵＰとの各々は、前板部ＦＰおよび後板部ＢＰと略直交する面に沿って広がり、左右方向に延びる略長方形形状を有している。左右方向および前後方向と直交する方向が上下方向であって、上板部ＴＰと下板部ＵＰとは、上下方向に間隙をあけて向かい合っている。
【００４３】
上板部ＴＰの前端は前板部ＦＰの上端と接し、上板部ＴＰの後端は後板部ＢＰの上端から離れ、かつ、この後板部ＢＰの上端に沿って延びている。すなわち、上板部ＴＰと後板部ＢＰとの間には隙間があいている。また、前板部ＦＰの上端は、上板部ＴＰの前端よりも上側に突出する凸部４１を有しており、凸部４１の一部は、上板部ＴＰと当接している。
下板部ＵＰの短辺は上板部ＴＰの短辺よりも長く、下板部ＵＰの前端は前板部ＦＰの下端と接し、下板部ＵＰの後端は後板部ＢＰの下端と接している。
【００４４】
互いに対向する左板部ＬＰと右板部ＲＰとの各々は、前板部ＦＰおよび後板部ＢＰと略直交し、かつ、上板部ＴＰおよび下板部ＵＰと略直交する面に沿って広がる略同形の略長方形形状を有している。左板部ＬＰと右板部ＲＰとは、左右方向に間をあけて向かい合っている。
【００４５】
左板部ＬＰは、前板部ＦＰの左端、後板部ＢＰの左端、上板部ＴＰの左端、および、下板部ＵＰの左端と接し、後板部ＢＰから前板部ＦＰへ向かう方向、すなわち、前方向に、前板部ＦＰを超える位置まで延びている。左板部ＬＰのなかで、上板部ＴＰと後板部ＢＰとの間に位置して上板部ＴＰと後板部ＢＰとの間の隙間を区画する部分には、上板部ＴＰおよび後板部ＢＰよりも上方向へ突出した突出部２０ａが設けられ、突出部２０ａは、上板部ＴＰの後端に当接している。
【００４６】
右板部ＲＰは、前板部ＦＰの右端、後板部ＢＰの右端、上板部ＴＰの右端、および、下板部ＵＰの右端と接し、前方向に、前板部ＦＰを超える位置まで延びている。右板部ＲＰのなかで、上板部ＴＰと後板部ＢＰとの間に位置して上板部ＴＰと後板部ＢＰとの間の隙間を区画する部分には、上板部ＴＰおよび後板部ＢＰよりも上方向へ突出した突出部２１ａが設けられ、突出部２１ａは、上板部ＴＰの後端に当接している。
【００４７】
すなわち、前板部ＦＰ、後板部ＢＰ、上板部ＴＰ、下板部ＵＰ、左板部ＬＰの一部、および、右板部ＲＰの一部によって空間を囲む箱体が構成され、３Ｄビューワ１００の外形は、こうした箱体から、左板部ＬＰの残部と右板部ＲＰの残部とが前方向に突き出た形状を有している。左板部ＬＰのなかで、前板部ＦＰよりも前方向に突き出た部分が上述の外光遮蔽板７を構成し、右板部ＲＰのなかで、前板部ＦＰよりも前方向に突き出た部分が上述の外光遮蔽板８を構成する。外光遮蔽板７，８は、延長部の一例である。
【００４８】
前板部ＦＰ、後板部ＢＰ、下板部ＵＰ、左板部ＬＰ、および、右板部ＲＰによって囲まれる空間は、上板部ＴＰによって塞がれる視野空間Ｓｖと、上板部ＴＰによって塞がれずに上方向に向かって開口する収納空間Ｓｐとに分けられる。視野空間Ｓｖと収納空間Ｓｐとは連通している。上述の外光遮蔽板７，８は、前板部ＦＰから収納空間Ｓｐとは反対側に延びる。
【００４９】
収納部１１は、後板部ＢＰ、下板部ＵＰ、左板部ＬＰ、および、右板部ＲＰのなかで収納空間Ｓｐを区画する部分であって、収納部１１の内部、すなわち、収納空間Ｓｐに表示装置の一例であるスマートフォン等の携帯端末が収納される。携帯端末は、前板部ＦＰの方に、画像を表示する表示面を向けて、収納部１１の内部に収納される。上板部ＴＰと後板部ＢＰとの間の隙間は、携帯端末を収納部１１に収納するときに携帯端末を差し込む差し込み口１２として機能する。
【００５０】
なお、前板部ＦＰ、後板部ＢＰ、上板部ＴＰ、下板部ＵＰ、左板部ＬＰ、および、右板部ＲＰの各々は、その一部あるいは全部にて、複数の板状部材が重ねられた構造を有していてもよい。
【００５１】
続いて、３Ｄビューワ１００の細部について説明する。
３Ｄビューワ１００は、双眼レンズ部２を備えている。双眼レンズ部２は、前板部ＦＰに２つの貫通孔が形成され、この貫通孔が形成された部分に双眼レンズが配置されることによって構成されている。
【００５２】
２つの貫通孔である左レンズ孔１ａと右レンズ孔１ｂとは、これらが左右方向に並ぶように前板部ＦＰに形成されている。左レンズ孔１ａは、前板部ＦＰの左右方向における中央部よりも左板部ＬＰに近い位置に形成され、双眼レンズを構成する左レンズ２ａによって塞がれている。右レンズ孔１ｂは、前板部ＦＰの左右方向における中央部よりも右板部ＲＰに近い位置に形成され、双眼レンズを構成する右レンズ２ｂによって塞がれている。すなわち、左レンズ２ａと右レンズ２ｂとは、左右方向に並んでいる。
【００５３】
双眼レンズは、例えばプラスチック製であり、１枚の平坦なプレートに左レンズ２ａと右レンズ２ｂとの２つのレンズが形成された構成を有する。双眼レンズは、複数の厚紙が積層されてこの厚紙の間に上記プレートが収納されるスペースが設けられたレンズ取り付け部材に組み付けられ、レンズ取り付け部材が前面板１の内側に取り付けられることによって、双眼レンズ部２が形成されている。前板部ＦＰは、これらのレンズ取り付け部材と前面板１とから構成される。
【００５４】
なお、前板部ＦＰが左レンズ２ａと右レンズ２ｂとを保持し、前板部ＦＰの２つの貫通孔の各々にレンズが配置される構成であれば、例えば、左レンズ２ａと右レンズ２ｂとは各別の部材であってもよいし、レンズが前板部ＦＰに接着されることによって双眼レンズ部２が形成されてもよい。
【００５５】
３Ｄビューワ１００には、前板部ＦＰの左右方向の中央部における下端から下板部ＵＰにかけて、鼻よけ部４が設けられている。鼻よけ部４は、前板部ＦＰと下板部ＵＰとの接続部分を含む位置で、前板部ＦＰを構成していた部分と下板部ＵＰを構成していた部分とが、箱体の内部に窪むことによって形成されている。例えば、鼻よけ部４は、前板部ＦＰの前面板１から下板部ＵＰの下面板３にかけて左右方向に沿って向かい合う２本の切れ目が形成され、この２本の切れ目の間を結ぶように設けられた３本の折罫が折られることによって、２本の切れ目に挟まれる部分が、視野空間Ｓｖ内に向けて押し込まれた形状を有する。
【００５６】
換言すれば、前板部ＦＰの左右方向の中央部における下端を下底とする台形状の部分と、下板部ＵＰの左右方向の中央部における前端で上記下底を共有する台形状の部分とが、台形の脚部にて前板部ＦＰの他の部分および下板部ＵＰの他の部分から切り離されて箱体の内部に押し入れられている。
【００５７】
続いて、視野空間Ｓｖおよび収納空間Ｓｐの内部の構成について説明する。
図２が示すように、双眼レンズ部２と携帯端末を収納する収納部１１との間、すなわち、視野空間Ｓｖ内には、視野空間Ｓｖを２つの空間に仕切る仕切り板１８が設けられている。仕切り板１８は、視野空間Ｓｖを左空間と右空間とに区画する。左空間は、左レンズ２ａと対向する空間であり、その左空間に対して収納空間Ｓｐとは反対側に左レンズ２ａが位置する。右空間は、右レンズ２ｂと対向する空間であり、その右空間に対して収納空間Ｓｐとは反対側に右レンズ２ｂが位置する。左レンズ２ａと左空間とは前後方向に沿って対向し、右レンズ２ｂと右空間とは、これもまた前後方向に沿って対向する。仕切り板１８は、例えば、上板部ＴＰから延びて、下板部ＵＰに固定されている。
【００５８】
視野空間Ｓｖと収納空間Ｓｐとの境界部分には、上板部ＴＰから下方向に延びる上面側端末固定部３０が配置されている（図９参照）。上面側端末固定部３０は、位置規制部に含まれる延設規制部の一例であって、携帯端末の表示領域と重ならない領域、例えば、携帯端末の表示領域の上や左右の領域にて携帯端末を支持し、携帯端末の位置が、前板部ＦＰ側、すなわち、視野空間Ｓｖ側に過度にずれないように、携帯端末の前後方向の位置を規制する。
【００５９】
視野空間Ｓｖと収納空間Ｓｐとの境界を含む部分において、左板部ＬＰから下板部ＵＰにかけて、側面側携帯端末固定部１３が設けられ、右板部ＲＰから下板部ＵＰにかけて、側面側携帯端末固定部１４が設けられている。側面側携帯端末固定部１３，１４は、位置規制部に含まれる凹設規制部の一例であって、携帯端末の下部を支え、携帯端末の前後方向の位置を規制する。
【００６０】
側面側携帯端末固定部１３は、左板部ＬＰと下板部ＵＰとの接続部分を含む位置で、左板部ＬＰを構成していた部分と下板部ＵＰを構成していた部分とが、箱体の内部、すなわち空間Ｓｖ，Ｓｐ内に窪むことによって形成されている。例えば、側面側携帯端末固定部１３は、左板部ＬＰの左側面板５から下板部ＵＰの下面板３にかけて前後方向に沿って向かい合う２本の切れ目が形成され、この２本の切れ目の間を結ぶように設けられた３本の折罫が折られることによって、２本の切れ目に挟まれる部分が、空間Ｓｖ，Ｓｐ内に向けて押し込まれた形状を有する。
【００６１】
換言すれば、左板部ＬＰにてその下端の一部を１つの辺とする矩形状の部分と、下板部ＵＰにてその左端で上記辺を共有する矩形状の部分とが、これらに共有される上記辺と直交して向かい合う他の辺にて、左板部ＬＰの他の部分および下板部ＵＰの他の部分から切り離されて空間Ｓｖ，Ｓｐ内に押し入れられている。空間Ｓｖ，Ｓｐ内から見て、上記矩形状の部分のうち共有されている辺は山折りされ、上記矩形状の部分のうち左板部ＬＰの他の部分あるいは下板部ＵＰの他の部分と繋がっている辺は谷折りされている。
【００６２】
同様に、側面側携帯端末固定部１４は、右板部ＲＰと下板部ＵＰとの接続部分を含む位置で、右板部ＲＰを構成していた部分と下板部ＵＰを構成していた部分とが、空間Ｓｖ，Ｓｐ内に窪むことによって形成されている。例えば、側面側携帯端末固定部１４は、右板部ＲＰの右側面板６から下板部ＵＰの下面板３にかけて前後方向に沿って向かい合う２本の切れ目が形成され、この２本の切れ目の間を結ぶように設けられた３本の折罫が折られることによって、２本の切れ目に挟まれる部分が、空間Ｓｖ，Ｓｐ内に向けて押し込まれた形状を有する。
【００６３】
換言すれば、右板部ＲＰにてその下端の一部を１つの辺とする矩形状の部分と、下板部ＵＰにてその右端で上記辺を共有する矩形状の部分とが、共有される上記辺と直交して向かい合う辺にて右板部ＲＰの他の部分および下板部ＵＰの他の部分から切り離されて空間Ｓｖ，Ｓｐ内に押し入れられている。
【００６４】
また、収納空間Ｓｐ内には、収納空間Ｓｐにて携帯端末の収納される領域である収納領域の左右方向の大きさを変更する左右サイズ変更部の一例である左右サイズ調整部１５、１６と、収納領域の上下方向の大きさを変更する上下サイズ変更部の一例であって、収納領域の下部の大きさを変更する下部サイズ調整部１７とが設けられている。左右サイズ調整部１５、１６は、携帯端末の左右の位置を規制し、下部サイズ調整部１７は、携帯端末の下部の位置を規制する。
【００６５】
左右サイズ調整部１５は、左板部ＬＰと後板部ＢＰとの接続部分を含む位置で、左板部ＬＰの一部と後板部ＢＰの一部とを構成するとともに収納空間Ｓｐ内に突き出ていない第１状態と、左板部ＬＰおよび後板部ＢＰから箱体の内部、すなわち収納空間Ｓｐ内に突き出た第２状態とに変位させることが可能に構成されている。こうした構成として、例えば、左板部ＬＰを構成する背面板固定片２０から後板部ＢＰの背面板１０にかけて上下方向に沿って向かい合う２本の切れ目が形成される。そして、これら２本の切れ目の間を結ぶように設けられた３本の折罫で、左板部ＬＰの一部と後板部ＢＰの一部とが折られることによって、２本の切れ目の間の部分である左右サイズ調整部１５は、収納空間Ｓｐ内に押し込まれて内方に突き出る。
【００６６】
換言すれば、左右サイズ調整部１５は、例えば、左板部ＬＰにてその後端の一部を１つの辺とする矩形状の部分と、後板部ＢＰにてその左端で上記辺を共有する矩形状の部分とが、これらに共有される上記辺と直交して向かい合う他の辺にて、左板部ＬＰの他の部分および後板部ＢＰの他の部分から切り離されるように構成されている。そして、左右サイズ調整部１５として、上記矩形状の部分が収納空間Ｓｐ内に押し入れることが可能に構成されている。
【００６７】
左右サイズ調整部１５が収納空間Ｓｐ内に突き出た第２状態において、収納空間Ｓｐ内から見て、上記矩形状の部分のうち共有されている辺は山折りされ、上記矩形状の部分のうち左板部ＬＰの他の部分あるいは後板部ＢＰの他の部分と繋がっている辺は谷折りされている。左右サイズ調整部１５は、例えば、上下方向の中央部に設けられる。
【００６８】
同様に、左右サイズ調整部１６は、右板部ＲＰと後板部ＢＰとの接続部分を含む位置で、右板部ＲＰの一部と後板部ＢＰの一部とを構成するとともに収納空間Ｓｐ内に突き出ない第１状態と、右板部ＲＰおよび後板部ＢＰから箱体の内部、すなわち収納空間Ｓｐ内に突き出た第２状態とに変位させることが可能に構成されている。こうした構成として、例えば、右板部ＲＰを構成する背面板固定片２１から後板部ＢＰの背面板１０にかけて上下方向に沿って向かい合う２本の切れ目が形成される。そして、これら２本の切れ目の間を結ぶように設けられた３本の折罫で、右板部ＲＰの一部と後板部ＢＰの一部とが折られることによって、２本の切れ目の間の部分である左右サイズ調整部１６は、収納空間Ｓｐ内に押し込まれて内方に突き出る。
【００６９】
換言すれば、左右サイズ調整部１６は、例えば、右板部ＲＰにてその後端の一部を１つの辺とする矩形状の部分と、後板部ＢＰにてその右端で上記辺を共有する矩形状の部分とが、これらに共有される上記辺と直交して向かい合う他の辺にて、右板部ＲＰの他の部分および後板部ＢＰの他の部分から切り離されるように構成されている。そして、左右サイズ調整部１６として、上記矩形状の部分が収納空間Ｓｐ内に押し入れることが可能に構成されている。左右サイズ調整部１６は、例えば、上下方向の中央部に設けられる。
【００７０】
同様に、下部サイズ調整部１７は、後板部ＢＰと下板部ＵＰとの接続部分を含む位置で、後板部ＢＰの一部と下板部ＵＰの一部とを構成するとともに収納空間Ｓｐ内に突き出ない第１状態と、後板部ＢＰおよび下板部ＵＰから箱体の内部、すなわち収納空間Ｓｐ内に突き出た第２状態とに変位させることが可能に構成されている。こうした構成として、例えば、後板部ＢＰの背面板１０から下板部ＵＰの下面板３にかけて左右方向に沿って向かい合う２本の切れ目が形成される。そして、これら２本の切れ目の間を結ぶように設けられた３本の折罫で、後板部ＢＰの一部と下板部ＵＰの一部とが折られることによって、２本の切れ目の間の部分である下部サイズ調整部１７は、収納空間Ｓｐ内に押し込まれて内方に突き出る。
【００７１】
換言すれば、下部サイズ調整部１７は、例えば、後板部ＢＰにてその下端の一部を１つの辺とする矩形状の部分と、下板部ＵＰにてその後端で上記辺を共有する矩形状の部分とが、これらに共有される上記辺と直交して向かい合う他の辺にて後板部ＢＰの他の部分および下板部ＵＰの他の部分から切り離されるように構成されている。そして、下部サイズ調整部１７として、上記矩形状の部分が収納空間Ｓｐ内に押し入れることが可能に構成されている。下部サイズ調整部１７は、例えば、左右方向の中央部に設けられる。
【００７２】
なお、本実施形態では、左板部ＬＰを構成する左側面板５と左側面板５の内側に重なる背面板固定片２０とのうち、背面板固定片２０の一部が、左右サイズ調整部１５の一部として収納空間Ｓｐ内に押し入れられる。また、右板部ＲＰを構成する右側面板６と右側面板６の内側に重なる背面板固定片２１とのうち、背面板固定片２１の一部が、左右サイズ調整部１６の一部として収納空間Ｓｐ内に押し入れられる。
【００７３】
すなわち、左板部ＬＰや右板部ＲＰや後板部ＢＰが複数の板状部材からなるとき、左右サイズ調整部１５，１６として収納空間Ｓｐ内に突き出すことの可能な部分は、複数の板状部材の一部の板状部材に設けられた部分であってもよい。
【００７４】
同様に、後板部ＢＰや下板部ＵＰが複数の板状部材からなるとき、下部サイズ調整部１７として収納空間Ｓｐ内に突き出すことの可能な部分は、複数の板状部材の一部の板状部材に設けられた部分であってもよい。
【００７５】
同様に、左板部ＬＰや右板部ＲＰや下板部ＵＰが複数の板状部材からなるとき、側面側携帯端末固定部１３，１４として収納空間Ｓｐ内に突き出すことの可能な部分は、複数の板状部材の一部の板状部材に設けられた部分であってもよい。
【００７６】
図３を参照して、側面側携帯端末固定部１３，１４とサイズ調整部１５，１６，１７との位置および機能について、詳述する。図３は、上板部ＴＰと対向する方向から、上板部ＴＰを除いた状態で、視野空間Ｓｖおよび収納空間Ｓｐの内部を見た図であって、サイズ調整部１５，１６，１７が収納空間Ｓｐ内に突き出ている状態を示す図である。
【００７７】
図３が示すように、側面側携帯端末固定部１３と側面側携帯端末固定部１４とは、左右方向に沿って互いに向かい合う位置に配置されている。側面側携帯端末固定部１３，１４と後板部ＢＰとの間には隙間が形成されている。この隙間に携帯端末４０が差し入れられ、側面側携帯端末固定部１３，１４の後板部ＢＰ側の端部が、携帯端末４０の下部であって表示領域の外側の領域を押さえる。換言すれば、携帯端末４０は、側面側携帯端末固定部１３，１４と後板部ＢＰとの間に挟まれ、これによって、携帯端末４０の位置が、前板部ＦＰ側、すなわち、視野空間Ｓｖ側に過度にずれないように、規制される。
【００７８】
なお、側面側携帯端末固定部１３，１４と後板部ＢＰとの間に携帯端末４０を挟むことが可能であれば、側面側携帯端末固定部１３，１４は、収納空間Ｓｐ内に位置してもよいし、収納空間Ｓｐと視野空間Ｓｖとに跨った領域に位置してもよいし、視野空間Ｓｖ内に位置してもよい。
【００７９】
左右サイズ調整部１５と左右サイズ調整部１６とは、左右方向に沿って互いに向かい合う位置に配置されている。携帯端末４０は、左右サイズ調整部１５と左右サイズ調整部１６との間に差し入れられる。
【００８０】
左右サイズ調整部１５，１６が収納空間Ｓｐ内に突き出た第２状態であるとき、携帯端末４０は、これら第２状態の左右サイズ調整部１５，１６に挟まれる。一方、左右サイズ調整部１５，１６が収納空間Ｓｐ内に突き出ていない第１状態であるとき、携帯端末４０は、これら第１状態の左右サイズ調整部１５，１６を含む左板部ＬＰと右板部ＲＰとに挟まれる。すなわち、左右サイズ調整部１５，１６が突き出ているとき、左右サイズ調整部１５，１６が突き出ていないときと比較して、携帯端末４０の収納領域の左右方向の幅は狭くなるため、左右サイズ調整部１５，１６の突き出しの有無によって、収納領域の左右方向の幅が変更できる。
【００８１】
なお、左右サイズ調整部１５，１６間に携帯端末４０が差し入れられる構成であれば、左右サイズ調整部１５と左右サイズ調整部１６とは、互いに向かい合っていなくてもよい。
【００８２】
また、下部サイズ調整部１７が収納空間Ｓｐ内に突き出た第２状態であるとき、携帯端末４０は、第２状態の下部サイズ調整部１７に当接するように、下部サイズ調整部１７の上に配置される。一方、下部サイズ調整部１７が収納空間Ｓｐ内に突き出ていない第１状態であるとき、携帯端末４０は、第１状態の下部サイズ調整部１７を含む下板部ＵＰに当接するように、下板部ＵＰの上に配置される。すなわち、下部サイズ調整部１７が突き出ているとき、下部サイズ調整部１７が突き出ていないときと比較して、収納領域の上下方向の幅は狭くなるため、下部サイズ調整部１７の突き出しの有無によって、収納領域の上下方向の幅が変更できる。
【００８３】
使用者が３Ｄビューワ１００を使用する際には、携帯端末４０を収納部１１の内部に収納した状態で、使用者は、３Ｄビューワ１００を顔の前に構え、右目で右レンズ２ｂを通して右空間を覗き、左目で左レンズ２ａを通して左空間を覗く。携帯端末４０の表示面には、両眼視差に応じた差異を有する右目用の視差画像と左目用の視差画像とが並べて表示され、右目用の視差画像は右空間に対向し、左目用の視差画像は左空間に対向する。使用者は、右目で右レンズ２ｂを通して右目用の視差画像を見るとともに、左目で左レンズ２ａを通して左目用の視差画像を見る。これにより、使用者には、視差画像に含まれる対象が立体的に見える。
【００８４】
第１実施形態の３Ｄビューワ１００において、双眼レンズ部２と携帯端末の収納部１１の間、すなわち視野空間Ｓｖは、前板部ＦＰ、上板部ＴＰ、下板部ＵＰ、左板部ＬＰ、および、右板部ＲＰによって囲まれている。それゆえ、視野空間Ｓｖには、外部からの光が入りにくいため、携帯端末４０に表示される視差画像が見えにくくなることが抑えられる。
【００８５】
なお、上記構成において、前板部ＦＰ、後板部ＢＰ、上板部ＴＰ、下板部ＵＰ、左板部ＬＰのうち外光遮蔽板７を除く部分、右板部ＲＰのうち外光遮蔽板８を除く部分、および、仕切り板１８によって、収納空間Ｓｐと視野空間Ｓｖの左空間と右空間とを区画する区画板部が構成される。また、この区画板部のうち、上板部ＴＰ、下板部ＵＰのうち視野空間Ｓｖを区画する部分、左板部ＬＰのうち左空間を区画する部分、および、右板部ＲＰのうち右空間を区画する部分は、前板部ＦＰから収納空間Ｓｐまで延びて、左空間と右空間とからなる視野空間Ｓｖを取り囲む側板部を構成する。
【００８６】
［３Ｄビューワの組み立て方］
図４〜図１１を参照して、第１実施形態の３Ｄビューワ１００の組み立て方について説明する。なお、図４を参照した説明における各部材の位置関係は、下面板３の長手方向を左右方向、下面板３の短手方向を上下方向として、左側面板５と右側面板６とが左から右に並ぶように、ブランクを配置した場合の位置関係を示し、図４を参照した説明において、上下左右の各向きは、紙面における上下左右と一致する向きである。
【００８７】
図４は、第１実施形態の３Ｄビューワの本体部分のブランクを模式的に示した図であり、図５は、第１実施形態の３Ｄビューワの本体部分に双眼レンズを取り付けた状態を模式的に示した図であり、図６〜図１１は、第１実施形態の３Ｄビューワの組み立てる段階を模式的に示した図である。
【００８８】
第１実施形態の３Ｄビューワ１００は、その本体部分が厚紙からなっている。また、本体部分は、プラスチックシートなどからなっていてもよい。そして、本体部分に、２つのレンズが形成されたプレートを、厚紙を積層してプレートが収納されるスペースを設けたレンズ取り付け部材で取り付けて、本体部分を組み立てることによって、３Ｄビューワ１００が形成されている。なお、本体部分は、３Ｄビューワ１００における双眼レンズおよびレンズ取り付け部材を除く部分である。
【００８９】
本体部分のブランクを図４に示す（図４は内面側から見た図である）。図４が示すように、３Ｄビューワ１００のブランク１０１においては、左から右に、左側面板５、下面板３、右側面板６、上面板９、貼着板１９が折罫を介して連設されている。左側面板５や右側面板６は、下面板３の上下方向の長さが長く設けられ、外光遮蔽板７、８になっている。
【００９０】
詳細には、左側面板５と右側面板６とは、これらの長手方向が上下方向となるように配置され、下面板３と上面板９とは、これらの長手方向が左右方向となるように配置される。左側面板５と下面板３と右側面板６とは、これらの上端における上下方向の位置が揃えられて、左側面板５の右端の一部と下面板３の左端とが、折罫、すなわち、折り目となる折り目線を介して繋がり、下面板３の右端と右側面板６の左端の一部とが、折罫を介して繋がっている。そして、右側面板６の右端の一部と上面板９の左端とが折罫を介して繋がり、上面板９の右端と貼着板１９とが折罫を介して繋がっている。上面板９の上端は、下面板３の上端よりも下側に位置する。貼着板１９は、上面板９の短辺から延設された略矩形形状を有する。
【００９１】
左側面板５のなかで、下面板３と繋がる部分からさらに下面板３よりも下側に延びる部分が外光遮蔽板７であり、右側面板６のなかで、下面板３と繋がる部分からさらに下面板３よりも下側に延びる部分が外光遮蔽板８である。
【００９２】
下面板３の上端には背面板１０が設けられ、背面板１０には左右方向に延びる折罫が設けられ、２つ折りにして貼着され、２重壁の背面板１０になるように形成されている。また、背面板１０の左右には、背面板固定片２０、２１が設けられている。
【００９３】
更に、背面板１０にはスリット２２、２３が設けられている。そして、左側面板５と右側面板６の上端には、側面板固定片２４、２５が設けられていて、組み立てたときに、スリット２２、２３に、それぞれ側面板固定片２４、２５を差し込んで固定するようになっている。
【００９４】
詳細には、背面板１０は、背面構成板１０ａと背面構成板１０ｂとから構成される。背面構成板１０ａおよび背面構成板１０ｂの各々は、背面板１０とほぼ同じ大きさを有し、その長手方向が左右方向となるように配置されるとともに、背面構成板１０ａと背面構成板１０ｂとは、長辺同士が折罫を介して繋がるように、上下方向に並べて配置されている。この折罫が折られて背面構成板１０ａと背面構成板１０ｂとが重ね合わされることによって背面板１０が形成される。
【００９５】
下側の背面構成板１０ｂの下端、すなわち、背面構成板１０ａとは反対側の端と、下面板３の上端とは、折罫を介して繋がり、背面構成板１０ｂの左端は背面板固定片２０と、背面構成板１０ｂの右端は背面板固定片２１と、それぞれ、折罫を介して繋がっている。背面板固定片２０の上端のなかで背面構成板１０ｂ側の端には、上側に突き出す出っ張りである突出部２０ａが形成され、背面板固定片２１の上端なかで背面構成板１０ｂ側の端には、上側に突き出す出っ張りである突出部２１ａが形成されている。
左側面板５の上端は側面板固定片２４と、右側面板６の上端は側面板固定片２５と、それぞれ、折罫を介して繋がっている。
【００９６】
背面板固定片２０の外縁と側面板固定片２４の外縁とは重ならず、１つの厚紙に切り込みが入れられることによって、背面板固定片２０の外縁と側面板固定片２４の外縁とが分離されている。例えば、側面板固定片２４は、略半楕円形状を有し、背面板固定片２０は、略半楕円形状の一部が切り取られた形状を有し、この切り取られた部分にて、背面板固定片２０の外縁の一部は、側面板固定片２４の外縁に沿った形状を有している。
【００９７】
同様に、背面板固定片２１の外縁と側面板固定片２５の外縁とは重ならず、１つの厚紙に切り込みが入れられることによって、背面板固定片２１の外縁と側面板固定片２５の外縁とが分離されている。
スリット２２とスリット２３とは、左右方向に並べて背面構成板１０ｂに形成され、例えば、円弧状を有している。
【００９８】
下面板３の下端には折罫を介して前面板１が設けられ、更に前面板固定片２６が折罫を介して設けられている。前面板１の下端の左右中央には、前面板固定片２６側に飛び出るように切れ目２７が設けられていて、組み立て時に、前面板固定片２６を上面板９の内側に差し込んだときに、切れ目２７により形成された飛び出た凸部４１が上面板９に当たり、前面板固定片２６がそれ以上差し込まれないようにしている。
【００９９】
前面板１には、２つのレンズの位置する所に貫通孔２８、２９がそれぞれ設けられている。前面板１から下面板３にかけて、くの字状の対向した切れ目４ａ，４ｂが２本設けられていて、その２本のそれぞれの両端部とそれぞれの中央部を結ぶように折罫が設けられていて、組み立て時に、中央の折罫を内方に押し込むことによって、使用者の鼻が３Ｄビューワ１００にぶつからないようにする鼻よけ部４が形成される。
【０１００】
詳細には、前面板１は、長手方向を左右方向として配置され、前面板１の上端は、下面板３の下端と折罫を介して繋がり、前面板１の下端は、前面板固定片２６と折罫を介して繋がっている。前面板固定片２６は、前面板１の長辺から延設された略矩形形状を有する。
【０１０１】
切れ目２７は、前面板固定片２６内にて、前面板１の下端から突出するように形成され、切れ目２７によって囲まれる部分には、折罫は配置されない。前面板１と前面板固定片２６との境界部分の折罫が折られたときに、切れ目２７によって囲まれる部分は、折られずに前面板１から突出し、凸部４１を形成する。上記筒体に前面板固定片２６が嵌められる際には、凸部４１が上面板９の端部に当接し、これによって、前面板固定片２６および前面板１が上記筒体内に深く入り込みすぎることが抑えられる。
【０１０２】
貫通孔２８は左レンズ孔１ａを構成し、貫通孔２９は右レンズ孔１ｂを構成する。鼻よけ部４の形成部位における切れ目４ａ，４ｂは、左右方向に沿って並んでいる。切れ目４ａと切れ目４ｂとの間の長さは、図中上下方向において、下面板３内では下面板３の下端に近いほど大きく、前面板１内では前面板１の上端に近いほど大きい。切れ目４ａ，４ｂの図中上下方向における両端部と、同じく図中上下方向における中央部、すなわち下面板３と前面板１との境界部分とには、左右方向に延びて切れ目４ａと切れ目４ｂとを結ぶ折罫が配置されている。下面板３における図中下端部と、前面板１における図中上端部とには、切れ目４ａ，４ｂとこれらを結ぶ折罫とによって、中央の折罫に対して線対称な台形領域が区画されている。
【０１０３】
下面板３から左側面板５にかけて、下面板３から右側面板６にかけて、それぞれ左右方向に延びる切れ目が２本ずつ設けられ、２本の切れ目の両端部と中央部を結ぶように折罫が３本設けられていて、組み立て時に、中央の折罫を内方に押し込むことによって、収納部１１に挿入した携帯端末の下部がずれないようにするための側面側携帯端末固定部１３、１４が形成されるようになっている。
【０１０４】
詳細には、下面板３から左側面板５にかけて形成された２本の切れ目は、上下方向に沿って対向し、これらの切れ目の両端部と、中央部、すなわち下面板３と左側面板５との境界部分とに、上下方向に延びてこれらの切れ目を結ぶ折罫が配置されている。また、下面板３から右側面板６にかけて形成された２本の切れ目は、上下方向に沿って対向し、これらの切れ目の両端部と、中央部、すなわち下面板３と右側面板６との境界部分とに、上下方向に延びてこれらの切れ目を結ぶ折罫が配置されている。
【０１０５】
下面板３から背面板１０にかけて、上下方向に延びる切れ目が２本設けられ、２本の切れ目の両端部と中央部を結ぶように折罫が３本設けられていて、これにより、組み立て時に、中央の折罫を必要に応じて内方に押し込んで携帯端末の下側の位置を調整する下部サイズ調整部１７が設けられている。
【０１０６】
詳細には、下面板３から背面構成板１０ｂにかけて、上下方向に沿って延び、左右方向に沿って対向する２本の切れ目が形成され、これらの切れ目の両端部と、中央部、すなわち下面板３と背面構成板１０ｂとの境界部分とに、左右方向に延びてこれらの切れ目を結ぶ折罫が配置されている。
【０１０７】
背面板１０から背面板固定片２０、２１にかけて、それぞれ左右方向に延びる切れ目が２本ずつ設けられ、２本の切れ目の両端部と中央部を結ぶように折罫が３本設けられていて、これにより、組み立て時に、中央の折罫を必要に応じて内方に押し込んで携帯端末のサイズに合わせて収納部１１の左右のサイズを調整する左右サイズ調整部１５、１６が設けられている。
【０１０８】
詳細には、背面構成板１０ｂから背面板固定片２０にかけて、左右方向に沿って延び、上下方向に沿って対向する２本の切れ目が形成され、これらの切れ目の両端部と、中央部、すなわち背面構成板１０ｂと背面板固定片２０との境界部分とに、上下方向に延びてこれらの切れ目を結ぶ折罫が配置されている。また、背面構成板１０ｂから背面板固定片２１にかけて、左右方向に沿って延び、上下方向に沿って対向する２本の切れ目が形成され、これらの切れ目の両端部と、中央部、すなわち背面構成板１０ｂと背面板固定片２１との境界部分とに、上下方向に延びてこれらの切れ目を結ぶ折罫が配置されている。
【０１０９】
上面板９には、上端部に上面側端末固定部３０が折罫を介して連設され、また、下端部には折り返し板３１を介して、仕切り板１８と貼着片３２が設けられ、折り返し板３１を上面板９の裏面に折り返して貼着させ、仕切り板１８を立たせ、貼着片３２を折り曲げて下面板３に貼着して、仕切り板１８を立たせると、仕切り板１８が２つのレンズの間を仕切るようになる。
【０１１０】
すなわち、上面板９の上端は、上面側端末固定部３０と折罫を介して繋がり、上面板９の下端は、折り返し板３１と折罫を介して繋がっている。上面側端末固定部３０は、上面板９と繋がって左右方向に延びる帯状の部分から、その左右方向の両端部が上面板９と反対側に延びた形状を有する。
【０１１１】
折り返し板３１は、上面板９と繋がって左右方向に延びる帯状の部分である帯部３１ａから、その左右方向の中央部が上面板９と反対側に延びた形状を有する。この帯部３１ａから延びた部分である延設部３１ｂの右端は、長辺方向を左右方向として配置される仕切り板１８の左端と折罫を介して繋がり、さらに、仕切り板１８の右端は、貼着片３２と折罫を介して繋がっている。帯部３１ａと仕切り板１８とは、１つの厚紙に切り込みが入れられることによって分離されている。延設部３１ｂと仕切り板１８との境界部分に位置する折罫の上下方向の延長線上に、上面板９の左右方向の中心が位置する。貼着片３２は、仕切り板１８の短辺から延設された略矩形形状を有する。
【０１１２】
このブランク１０１の前面板１の貫通孔２８、２９に、２つのレンズが形成されたプレートのレンズが位置するようにして、図５が示すようにレンズ取り付け部材４２を用いてプレートを前面板１に取り付けることによって、双眼レンズ部２が形成される。なお、レンズ取り付け部材４２は、鼻よけ部４となる部分を避けた位置に取り付けられる。
以下、双眼レンズ部２を設けたブランク１０１から、第１実施形態の３Ｄビューワ１００を組み立てる工程について説明する。
【０１１３】
図５の双眼レンズ部２を設けたブランク１０１を、上面板９と折り返し板３１の間の折罫で折って、図６が示すように、折り返し板３１を上面板９に重ね合わせ貼着する。そして、貼着板１９の外面を左側面板５の内面に貼着し、貼着片３２を下面板３に貼着して、図７が示すように、筒状にするとともに、仕切り板１８を折り返し板３１より起こして、貼着片３２を下面板３に貼着し、２つのレンズの間を仕切るように、仕切り板１８をたてる。
【０１１４】
すなわち、左側面板５、下面板３、右側面板６、および、上面板９の各板の境界部分の折罫を折り、貼着板１９の外面、つまり、図６に示される面の裏側の面と、左側面板５の内面、つまり、図６に示される面の左端に沿った部分とを貼着することによって、左側面板５、下面板３、右側面板６、および、上面板９から構成される筒体が形成される。折り返し板３１における延設部３１ｂと仕切り板１８との境界部分の折罫を折って、仕切り板１８を上面板９と下面板３との間に延びるように配置し、貼着片３２を下面板３に貼着することによって、仕切り板１８は、上記筒体の内部空間を左右方向の中央で区切る。
【０１１５】
そして、図８および図９が示すように、背面板１０を先端側が内側になるように折り返して２重壁になるようにし、離れないように貼着する。このとき、スリット２２、２３の周囲は、側面板固定片２４、２５が差し込めるように、貼着しない。
【０１１６】
具体的には、背面構成板１０ａと背面構成板１０ｂとの境界部分の折罫を折って、背面構成板１０ａが内側になるように、背面構成板１０ａと背面構成板１０ｂとを貼着する。このとき、サイズ調整部１５，１６，１７は、背面構成板１０ａから露出する。
【０１１７】
次に、背面板１０を起こして、背面板固定片２０を上記筒体における左側面板５の内側に、背面板固定片２１を上記筒体における右側面板６の内側に差し込む。このとき、背面板固定片２０には出っ張りである突出部２０ａが設けられ、背面板固定片２１には出っ張りである突出部２１ａが設けられているので、突出部２０ａ、２１ａが上面板９に当たって、上面板９と背面板１０の間に隙間が生じて、携帯端末の差し込み口１２になる。
【０１１８】
次に、図１０に示す平面図および図１１に示す背面図のように、背面板１０の外面に側面板固定片２４、２５を倒し、その先端部をスリット２２、２３に差し込み係止して背面板１０を固定する。
【０１１９】
この後、前面板１を起こして、前面板固定片２６を上記筒体における上面板９の内側に差し込む。このとき切れ目２７によって、上面板９より上に飛び出す凸部４１が設けられているので、前面板１はこれ以上内側に入り込むことが無く固定される。そして、２本の切れ目４ａ，４ｂの中央部を結ぶ折罫を内側に押し込んで鼻よけ部４を形成する。
【０１２０】
これにより、図１のような、第１実施形態の３Ｄビューワ１００が組み立てられる。このとき収納部１１に差し込む携帯端末のサイズに合わせるために必要に応じて、左右サイズ調整部１５、１６や下部サイズ調整部１７の２本の切れ目の中央部を結ぶ折罫を内側に押し込んで収納領域のサイズを調整する。これにより、携帯端末を安定して保持することができる。
【０１２１】
上記構成においては、前面板１とレンズ取り付け部材４２とから前板部ＦＰが構成され、背面板１０と側面板固定片２４、２５とから後板部ＢＰが構成される、また、上面板９と折り返し板３１と前面板固定片２６とから上板部ＴＰが構成され、下面板３と貼着片３２とから下板部ＵＰが構成される。また、左側面板５と背面板固定片２０と貼着板１９とから左板部ＬＰが構成され、右側面板６と背面板固定片２１とから右板部ＲＰが構成される。
【０１２２】
以上のように、第１実施形態の３Ｄビューワ１００は、その本体部分が１枚の厚紙等のシートから形成されている。したがって、本体部分が分割された複数の部材から構成される場合と比較して、３Ｄビューワ１００を構成する部品数の削減が可能であり、３Ｄビューワ１００の製造や組み立ても容易である。また、本体部分は１枚のシートに対する打ち抜き加工のみによって形成可能であるため、製造コストを低く抑えられる。また、３Ｄビューワ１００は、側面板固定片２４、２５、背面板固定片２０，２１、および、前面板固定片２６を、これらの固定片を係止している部分から抜いて、上記筒体を倒すことによって、折りたたむことが可能である。したがって、３Ｄビューワ１００の保管や持ち運び等に際して３Ｄビューワ１００の取り扱いが容易である。
【０１２３】
以上説明したように、第１実施形態の３Ｄビューワによれば、以下の効果が得られる。
（１）収納部１１の内部、すなわち収納空間Ｓｐに携帯端末４０が収納された状態において、右レンズ２ｂおよび左レンズ２ａと、携帯端末４０との間の空間は、前板部ＦＰと側板部とによって囲まれる。したがって、右レンズ２ｂおよび左レンズ２ａと、携帯端末４０との間の空間に外部からの光が入り込みにくくなるため、携帯端末４０に表示される視差画像の視認性が高められる。
【０１２４】
（２）右レンズ２ｂおよび左レンズ２ａの両側に外光遮蔽板７，８が配置されるため、３Ｄビューワ１００の使用者の視界に外部からの光が入ることが抑えられる。したがって、携帯端末４０に表示される視差画像の視認性がさらに高められる。また、外光遮蔽板７，８の外面を、それに印刷を施すことが可能な構成とすることも可能になるため、外光遮蔽板７，８の外面を広告媒体として用いたり外面に装飾を施したりすることができる。外光遮蔽板７，８によって３Ｄビューワ１００の表面積が広がる結果、３Ｄビューワ１００にて広告や装飾に用いることの可能な部分が拡大する。さらに、使用者が３Ｄビューワ１００を使用している状態において、外光遮蔽板７，８の外面は、第三者から見て目立つ位置に配置されるため、外光遮蔽板７，８の外面を広告や装飾に用いることによって、広告による宣伝効果や装飾による効果が高められる。
【０１２５】
（３）サイズ調整部１５，１６，１７が設けられているため、携帯端末４０の大きさに応じて収納領域の大きさを変更することができる。したがって、収納空間Ｓｐ内で携帯端末４０を安定して保持することができる。
特に、左右サイズ調整部１５，１６によって収納領域の左右方向の大きさが変更可能であるため、収納領域の大きさを的確に調整することができる。例えば、携帯端末が有する左右方向の大きさに応じて収納領域の大きさを変更する利用の形態であれば、レンズ２ａ，２ｂの画角内から視差画像の一部が外れることを左右の視差画像に対して抑えられる。結果として、視認された左目用の視差画像と、視認された右目用の視差画像とから知覚される立体感に違和感が生じることが抑えられる。
また、下部サイズ調整部１７によって、収納領域の上下方向の大きさが変更可能であるため、収納領域の大きさを的確に調整することができる。例えば、携帯端末が有する上下方向の大きさに応じて収納領域の大きさを変更する利用の形態であれば、視差画像の中心位置とレンズ２ａ，２ｂの光軸とのずれを上下方向において抑えることが可能である。
【０１２６】
（４）サイズ調整部１５，１６，１７は、区画板部の一部を構成する状態と、区画板部から収納空間Ｓｐ内に突き出た状態とに変位可能に構成され、区画板部から収納空間Ｓｐ内に突き出た状態において収納領域の大きさを小さくする。こうした構成によれば、別部材の取り付けや取り外しによって収納領域の大きさを調整する構成と比較して、簡易な構成でサイズ調整部１５，１６，１７が実現できる。
【０１２７】
（５）鼻よけ部４が設けられているため、使用者が右レンズ２ｂと左レンズ２ａとを通して視差画像を見るときに、前板部ＦＰに鼻が当たって視差画像が見難くなることが抑えられる。
【０１２８】
（６）鼻よけ部４が、前板部ＦＰから下板部ＵＰにかけて形成された２つの切れ目に挟まれる部分が、視野空間Ｓｖに向けて押し込まれた形状を有するため、前板部ＦＰや下板部ＵＰに対してこれらの一部を完全にくりぬく加工が行われて鼻よけ部が形成される構成と比較して、簡易な構成で鼻よけ部４が実現できる。
【０１２９】
（７）前後方向における携帯端末４０の位置を規制する位置規制部として、側面側携帯端末固定部１３，１４および上面側端末固定部３０が設けられている。これにより、携帯端末４０の前後方向の位置が規制されるため、収納空間内で携帯端末４０を安定して保持することができる。
【０１３０】
（８）凹設規制部としての側面側携帯端末固定部１３，１４は、区画板部に形成された２つの切れ目に挟まれる部分が、区画板部の区画する空間内に向けて押し込まれた形状を有する。こうした構成によれば、別部材の配置によって凹設規制部が実現される構成と比較して、簡易な構成で位置規制部が実現できる。
【０１３１】
（９）延設規制部としての上面側端末固定部３０は、上板部ＴＰから、収納空間Ｓｐと視野空間Ｓｖとの境界部分に向けて延設されている。こうした構成によれば、別部材の配置によって延設規制部が実現される構成と比較して、簡易な構成で位置規制部が実現できる。
【０１３２】
（１０）上板部ＴＰと後板部ＢＰとの間には、収納空間Ｓｐへの携帯端末４０の差し込み口１２である隙間があいているため、容易に収納空間Ｓｐへ携帯端末４０を収納することができる。特に、上記隙間に蓋や覆いが設けられていないため、より容易に収納空間Ｓｐへ携帯端末４０を収納することができる。
【０１３３】
（第２実施形態）
図１２〜図１５を参照して、３Ｄビューワの第２実施形態について説明する。以下では、第１実施形態との相違点を中心に説明し、第１実施形態と同様の構成については同じ符号を付してその説明を省略する。なお、図１２〜図１５を参照した説明において、前後上下左右の各向きは、使用者が３Ｄビューワを使用している状態において、３Ｄビューワに対して使用者側を前、使用者と反対側を後、使用者から見た上下左右を上下左右とする向きである。
【０１３４】
第２実施形態では、視差画像を表示する表示装置として、スマートフォンのように、表示面と反対側の背面にカメラを備え、短手方向の側面の一方に、イヤホンやヘッドホンの端子が挿されるイヤホンジャック、および、充電や外部機器との間でのデータの送受信の際に端子が挿されるコネクタを備える携帯端末が用いられる場合が想定されている。
【０１３５】
図１２が示すように、３Ｄビューワ１１０は、第１実施形態の３Ｄビューワ１００に、カメラ孔５０と、イヤホンジャック孔５１と、コネクタ孔５２とが形成された構成を有する。
【０１３６】
カメラ孔５０は、後板部ＢＰを貫通し、収納部１１の内部、すなわち収納空間Ｓｐに携帯端末が収納されている状態において、カメラ孔５０から携帯端末のカメラが露出する。カメラ孔５０の詳細な位置は、３Ｄビューワ１１０の適用対象とされる携帯端末のカメラの位置に応じて設定される。
こうした構成によれば、収納空間Ｓｐに携帯端末が収納されている状態で、カメラを使用することができる。
【０１３７】
イヤホンジャック孔５１と、コネクタ孔５２とは、左板部ＬＰのなかで収納部１１を構成して収納空間Ｓｐを区画する部分、もしくは、右板部ＲＰのなかで収納部１１を構成して収納空間Ｓｐを区画する部分に形成されている。収納空間Ｓｐに携帯端末が収納されている状態において、イヤホンジャック孔５１からは、携帯端末のイヤホンジャックが露出し、コネクタ孔５２からは携帯端末のコネクタが露出する。
【０１３８】
図１２においては、イヤホンジャック孔５１とコネクタ孔５２との双方が、右板部ＲＰに形成されている例を示しているが、イヤホンジャック孔５１とコネクタ孔５２との一方が右板部ＲＰに形成され、他方が左板部ＬＰに形成されてもよい。あるいは、イヤホンジャック孔５１とコネクタ孔５２との少なくとも一方は、下板部ＵＰのなかで収納部１１を構成して収納空間Ｓｐを区画する部分に形成されていてもよく、イヤホンジャック孔５１とコネクタ孔５２との位置は、３Ｄビューワ１１０の適用対象とされる携帯端末のイヤホンジャックおよびコネクタの位置に応じて設定されればよい。
【０１３９】
こうした構成によれば、収納空間Ｓｐに携帯端末が収納されている状態で、イヤホンジャックやコネクタを使用することができる。例えば、使用者は、イヤホンジャックの利用によってイヤホンから音声を聞いたり、コネクタの利用によって携帯端末の充電をしたりすることができる。
【０１４０】
なお、３Ｄビューワ１１０には、カメラ孔５０、イヤホンジャック孔５１、および、コネクタ孔５２の少なくとも１つが形成されていればよく、これら以外に、携帯端末が備える機能を利用するための孔が形成されていてもよい。例えば、３Ｄビューワ１１０の区画板部において収納部１１を構成する部分には、収納空間Ｓｐに携帯端末が収納されている状態において、携帯端末の音量調節ボタンや電源ボタンを露出させるための孔が形成されていてもよい。
【０１４１】
また、第２実施形態の３Ｄビューワ１１０は、第１実施形態の３Ｄビューワ１００におけるサイズ調整部１５，１６，１７、すなわち、収納空間Ｓｐにおける収納領域の大きさを２段階に変更可能なサイズ変更部に代えて、収納領域の大きさを３段階に変更可能なサイズ変更部を備えている。
【０１４２】
図１３〜図１５を参照して、こうしたサイズ変更部の一例として、収納領域の下部の大きさを変更する下部サイズ調整部について説明する。
図１３が示すように、後板部ＢＰの背面板１０から下板部ＵＰの下面板３にかけて左右方向に沿って向かい合う２本の切れ目５６，５７が形成され、これら２本の切れ目５６，５７の間を結ぶように５本の折罫が設けられている。折罫は、２本の切れ目５６，５７の互いに向かい合う端部同士を結ぶ位置に配置された折罫５８ａ，５８ｂと、２本の切れ目５６，５７の中央を結ぶ位置に配置された折罫５８ｃと、端部の２本の折罫５８ａ，５８ｂと中央の折罫５８ｃとの間の位置のそれぞれに配置された折罫５８ｄ，５８ｅとを含む。中央の折罫５８ｃは、背面板１０と下面板３との境界部分に位置する。
【０１４３】
こうした構成において、２本の切れ目５６，５７に挟まれる部分である下部サイズ調整部５５は、折罫を折ることによって、後板部ＢＰの一部と下板部ＵＰの一部とを構成するとともに収納空間Ｓｐ内に突き出ていない第１状態と、後板部ＢＰおよび下板部ＵＰから収納空間Ｓｐ内に突き出た第２状態とに変位可能である。そして、収納空間Ｓｐ内に突き出た第２状態として、下部サイズ調整部５５は、収納空間Ｓｐ内に小さく突き出た状態と大きく突き出た状態とに変位可能である。
【０１４４】
図１３は、中央の折罫５８ｃのみが、収納空間Ｓｐ内から見て谷折りされ、その他の折罫５８ａ，５８ｂ，５８ｄ，５８ｅは折られていない状態を示す。この状態において、下部サイズ調整部５５は、後板部ＢＰの一部と下板部ＵＰの一部とを構成する。
【０１４５】
図１４は、収納空間Ｓｐ内から見て、中央の折罫５８ｃが山折りされ、折罫５８ｄと折罫５８ｅとが谷折りされ，端部の折罫５８ａと折罫５８ｂとが折られていない状態を示す。この状態において、下部サイズ調整部５５は、収納空間Ｓｐ内に小さく突き出ている。
【０１４６】
図１５は、収納空間Ｓｐ内から見て、中央の折罫５８ｃが山折りされ、端部の折罫５８ａと折罫５８ｂとが谷折りされ，折罫５８ｄと折罫５８ｅとが折られていない状態を示す。この状態において、下部サイズ調整部５５は、収納空間Ｓｐ内に大きく突き出ている。
【０１４７】
このように、下部サイズ調整部５５は、後板部ＢＰの一部と下板部ＵＰの一部とを構成する状態と、収納空間Ｓｐ内に小さく突き出た状態と、収納空間Ｓｐ内に大きく突き出た状態とに変位することによって、３段階に収納領域の大きさを変更可能である。下部サイズ調整部５５の収納空間Ｓｐ内への突出しが大きくなるほど、収納領域は小さくなる。
【０１４８】
こうした構成によれば、第１実施形態と比較して、収納領域の大きさの変更の自由度が高められるため、より多様な大きさの携帯端末に合わせて収納領域の大きさを変更することができる。
【０１４９】
なお、サイズ変更部の構成は、収納領域の大きさを３段階に変更可能であれば、上記構成に限られない。例えば、サイズ変更部にて、収納空間Ｓｐ内に小さく突き出る部分と、収納空間Ｓｐ内に大きく突き出る部分とが別々の位置に設けられていてもよい。また、サイズ変更部は、収納領域の大きさを４段階以上に変更可能であってもよい。
【０１５０】
また、左右サイズ調整部と下部サイズ調整部のように、サイズ変更部が複数設けられる場合には、少なくとも１つのサイズ変更部が、収納領域の大きさを３段階以上に変更可能であればよい。
【０１５１】
以上説明したように、第２実施形態の３Ｄビューワによれば、第１実施形態の（１）〜（１０）の効果に加えて、以下の効果が得られる。
（１１）収納空間Ｓｐに収納された携帯端末の備えるカメラを露出させるためのカメラ孔５０、収納空間Ｓｐに収納された携帯端末の備えるイヤホンジャックを露出させるためのイヤホンジャック孔５１、および、収納空間Ｓｐに収納された携帯端末の備えるコネクタを露出させるためのコネクタ孔５２が設けられている。したがって、携帯端末が収納空間Ｓｐに収納された状態で、携帯端末の備えるカメラやイヤホンジャックやコネクタを利用することができる。
【０１５２】
（１２）サイズ変更部が、収納領域の大きさを３段階以上に変更可能である。それゆえ、収納領域の大きさの変更の自由度が高められるため、より多様な大きさの携帯端末に合わせて収納領域の大きさを調整することができる。
【０１５３】
（第３実施形態）
図１６〜図１９を参照して、３Ｄビューワの第３実施形態について説明する。以下では、第１実施形態との相違点を中心に説明し、第１実施形態と同様の構成については同じ符号を付してその説明を省略する。なお、図１６〜図１８を参照した説明において、前後上下左右の各向きは、使用者が３Ｄビューワを使用している状態において、３Ｄビューワに対して使用者側を前、使用者と反対側を後、使用者から見た上下左右を上下左右とする向きである。
【０１５４】
［３Ｄビューワの構成］
第３実施形態の３Ｄビューワ１２０は、第１実施形態の３Ｄビューワ１００と比較して、主として、上板部ＴＰ、下板部ＵＰ、左板部ＬＰ、右板部ＲＰ、収納部、および、鼻よけ部の構成が異なる。以下、これらの構成を中心に説明する。
【０１５５】
図１６が示すように、上板部ＴＰの全体において、上板部ＴＰの左右方向の幅は、後板部ＢＰから前板部ＦＰに向かう方向、すなわち前方向に沿って徐々に大きくなり、上板部ＴＰは、前板部ＦＰよりも前方向に突き出ている。上板部ＴＰの前端は、左右方向の中央部が窪むように弧状に湾曲している。下板部ＵＰは、上板部ＴＰの前端における左右方向の中央部がさらに窪んだ形状を有している（図１７参照）。
【０１５６】
前板部ＦＰの下端における左右方向の中央部は、上方向に向かって略台形状に窪み、この前板部ＦＰの窪みと、下板部ＵＰにおける前端の中央部の窪みとによって、鼻よけ部６０が形成されている。すなわち、鼻よけ部６０において、前板部ＦＰと下板部ＵＰとは視野空間Ｓｖに向けて鼻よけ部６０が窪むようにくり抜かれている。第１実施形態とは異なり、板状の部材のなかで視野空間Ｓｖに押し込まれた部分は存在しない。下板部ＵＰにおける鼻よけ部６０を除く部分は、前板部ＦＰよりも前方向に突き出ている。
【０１５７】
使用者の顔と当たりやすい部分である上板部ＴＰの前端の中央部と、下板部ＵＰの前端における鼻よけ部６０の両側とには、これらの端部を補強する補強部材６１が嵌められている。補強部材６１は、例えば、樹脂から形成される。
【０１５８】
左板部ＬＰは、共に略矩形形状を有する左側面板７０と左折り返し板７１とを含む。左側面板７０は、上板部ＴＰの左端と下板部ＵＰの左端とを繋ぎ、左折り返し板７１は、上板部ＴＰと下板部ＵＰとの間で前板部ＦＰの左端と左側面板７０の前端とを繋いでいる。左側面板７０と左折り返し板７１との間には、左側面板７０の前端から前板部ＦＰの左端に向けて左右方向において広がる隙間が形成され、この隙間における上下方向の両端は、上板部ＴＰおよび下板部ＵＰによって塞がれている。
【０１５９】
右板部ＲＰは、共に略矩形形状を有する右側面板７２と右折り返し板７３とを含む。右側面板７２は、上板部ＴＰの右端と下板部ＵＰの右端とを繋ぎ、右折り返し板７３は、上板部ＴＰと下板部ＵＰとの間で前板部ＦＰの右端と右側面板７２の前端とを繋いでいる。右側面板７２と右折り返し板７３との間には、右側面板７２の前端から前板部ＦＰの右端に向けて左右方向において広がる隙間が形成され、この隙間における上下方向の両端は、上板部ＴＰおよび下板部ＵＰによって塞がれている。
すなわち、左板部ＬＰと右板部ＲＰとの間の距離は、前方向に沿って徐々に大きくなる。
【０１６０】
上記構成において、左板部ＬＰ、上板部ＴＰ、および、下板部ＵＰのうち、前板部ＦＰよりも前方向に突き出ている部分が、外光遮蔽部６２であり、右板部ＲＰ、上板部ＴＰ、および、下板部ＵＰのうち、前板部ＦＰよりも前方向に突き出ている部分が、外光遮蔽部６３である。外光遮蔽部６２と外光遮蔽部６３とは、延長部の一例であり、外光遮蔽部６２と外光遮蔽部６３との間の距離は、前板部ＦＰから離れるにつれて大きくなっている。
【０１６１】
上板部ＴＰと後板部ＢＰとの間には差し込み口１２である隙間が形成され、収納部６４は、後板部ＢＰの上端から延設されて、差し込み口１２を覆う蓋板部ＣＰを有している。蓋板部ＣＰは、後板部ＢＰの上端から前方向に延びて、上板部ＴＰの一部と重なる。
【０１６２】
図１８は、蓋板部ＣＰが開かれた３Ｄビューワ１２０を、前板部ＦＰが取り除かれた状態で示す図である。
前板部ＦＰ、後板部ＢＰ、下板部ＵＰ、左板部ＬＰ、および、右板部ＲＰによって囲まれる空間は、上板部ＴＰによって塞がれる視野空間Ｓｖと、上板部ＴＰによって塞がれない収納空間Ｓｐとに分けられ、後板部ＢＰ、下板部ＵＰ、左板部ＬＰ、および、右板部ＲＰのなかで収納空間Ｓｐを区画する部分と蓋板部ＣＰとから収納部６４が構成される。
【０１６３】
蓋板部ＣＰは、収納空間Ｓｐを開閉可能に上板部ＴＰに接続されている。蓋板部ＣＰには、面ファスナー等の固定部材６５が固定され、また、上板部ＴＰにも、面ファスナー等の固定部材６５が固定され、これらの固定部材６５同士の係合によって、蓋板部ＣＰは上板部ＴＰに固定される。蓋板部ＣＰが上方向に引き開けられた状態においては、差し込み口１２が露出し、収納部６４に携帯端末を差し入れることができる。蓋板部ＣＰが閉められて上板部ＴＰに固定されることによって、３Ｄビューワ１２０の使用中に、収納部６４から携帯端末が出ることが抑えられる。
【０１６４】
双眼レンズ部２と収納部６４との間、すなわち、視野空間Ｓｖ内には、上板部ＴＰと下板部ＵＰとの間に配置されて視野空間Ｓｖを左空間と右空間とに区切る仕切り板７９が設けられている。図１８に示される３Ｄビューワ１２０には、サイズ変更部や位置規制部は設けられていないが、第１実施形態の３Ｄビューワ１００と同様に、第３実施形態の３Ｄビューワ１２０にもこれらの構成が設けられてもよい。
【０１６５】
なお、上記構成において、前板部ＦＰ、後板部ＢＰ、上板部ＴＰ、下板部ＵＰ、左板部ＬＰ、右板部ＲＰ、および、仕切り板７９のうち、外光遮蔽部６２，６３と前板部ＦＰよりも突き出している部分と除く部分によって区画板部が構成される。また、この区画板部のなかで、上板部ＴＰ、下板部ＵＰのうち視野空間Ｓｖを区画する部分、左板部ＬＰのうち左空間を区画する部分、および、右板部ＲＰのうち右空間を区画する部分は、側板部を構成する。
【０１６６】
［３Ｄビューワの組み立て方］
図１９を参照して、第３実施形態の３Ｄビューワ１２０の組み立て方について説明する。
第３実施形態の３Ｄビューワ１２０の本体部分は、図１９（ａ）に示される第１ブランク１２１と、図１９（ｂ）に示される第２ブランク１２２とから構成される。なお、図１９（ａ）を参照した説明における各部材の位置関係は、下面板７７の長手方向を左右方向、下面板７７の短手方向を上下方向として、上面板７５と下面板７７とが左から右に並ぶように、第１ブランク１２１を配置した場合の位置関係を示す。また、図１９（ｂ）を参照した説明における各部材の位置関係は、前面板８１の長手方向を左右方向、前面板８１の短手方向を上下方向として、左側面板７０と右側面板７２とが左から右に並ぶように、第２ブランク１２２を配置した場合の位置関係を示す。図１９（ａ），（ｂ）を参照した説明において、上下左右の各向きは、紙面における上下左右と一致する向きである。
【０１６７】
図１９（ａ）が示すように、第１ブランク１２１では、第１左支持板７４と、上面板７５と、右支持板７６と、下面板７７と、第２左支持板７８とが、この順に、左から右へ折罫を介して繋がっている。第１左支持板７４と第２左支持板７８とは、左側面板７０と略同形であり、右支持板７６は右側面板７２と略同形であり、上面板７５は上板部ＴＰと略同形であり、下面板７７は下板部ＵＰと略同形である。上面板７５の上端は、上面板７５以外の部材の上端よりも下側に位置している。
【０１６８】
図１９（ｂ）が示すように、第２ブランク１２２では、上支持板８０と、前面板８１と、下支持板８２と、背面板８３と、蓋板８４とが、この順に上から下へ折罫を介して繋がっている。
【０１６９】
上支持板８０は、前面板８１と繋がって左右方向に延びる帯状の部分から、その左右方向の中央よりも右側の部分が前面板８１と反対側に突出した形状を有し、この突出した部分の左端には、略矩形形状の仕切り板７９が左右方向に延びるように折罫を介して繋がっている。仕切り板７９の左端には、略矩形形状の貼着片９５が折罫を介して繋がっている。仕切り板７９と上支持板８０における帯状の部分とは、１つの厚紙に切り込みが入れられることによって分離されている。
【０１７０】
前面板８１は左右方向に延びる略矩形形状を有し、前面板８１には、左レンズ孔１ａを構成する貫通孔８５と、右レンズ孔１ｂを構成する貫通孔８６とが形成されている。下支持板８２は左右方向に延びる略矩形形状を有し、前面板８１から下支持板８２にかけて、鼻よけ部６０となる貫通孔８７が形成されている。背面板８３は左右方向に延びる略矩形形状を有し、蓋板８４は、背面板８３と繋がって左右方向に延びる帯状を有する。
【０１７１】
また、第１左裏板８８と、第２左裏板８９と、前面板８１と、右裏板９０とは、この順に左から右へ折罫を介して繋がっている。第１左裏板８８、第２左裏板８９、および、右裏板９０の各々は、ほぼ同形の略矩形形状を有する。第２左裏板８９と前面板８１との境界部分には、スリット９１が形成され、前面板８１と右裏板９０との境界部分には、スリット９２が形成されている。
【０１７２】
また、左折り返し板７１と、左側面板７０と、背面板８３と、右側面板７２と、右折り返し板７３とは、この順に左から右へ折罫を介して繋がっている。左折り返し板７１の左端には、左方向に突出する突出片９３が延設され、右折り返し板７３の右端には、右方向に突出する突出片９４が延設されている。
【０１７３】
３Ｄビューワ１２０の組み立てに際しては、まず、レンズ取り付け部材によってプレート状の双眼レンズが前面板８１に取り付けられる。そして、第２ブランク１２２の折罫が折られることによって、上支持板８０を上面、前面板８１を前面、下支持板８２を下面、背面板８３を後面、重ね合わされた第１左裏板８８と第２左裏板８９とを左面、右裏板９０を右面とする箱体が形成される。仕切り板７９は上支持板８０から下支持板８２に向かって延びるように配置されて、貼着片９５は下支持板８２に貼着される。
【０１７４】
続いて、第１ブランク１２１の折罫が折られることによって、重ね合わされた第１左支持板７４および第２左支持板７８と、上面板７５と、右支持板７６と、下面板７７とから構成される枠体が形成され、この枠体が上記箱体を取り囲むように配置されて、適宜貼着される。すなわち、第１左支持板７４および第２左支持板７８が第１左裏板８８および第２左裏板８９の外側に配置され、上面板７５が上支持板８０の外側に配置され、右支持板７６が右裏板９０の外側に配置され、下面板７７が下支持板８２の外側に配置される。
【０１７５】
続いて、左側面板７０が、第１左支持板７４および第２左支持板７８の外側に配置され、左折り返し板７１が、左側面板７０と左折り返し板７１との間に左支持板７４，７８を挟むように前面板８１の方へ折り返される。そして、左折り返し板７１の突出片９３が、前面板８１の端部のスリット９１に嵌められることによって、左折り返し板７１が係止される。
【０１７６】
同様に、右側面板７２が、右支持板７６の外側に配置され、右折り返し板７３が、右側面板７２と右折り返し板７３との間に右支持板７６を挟むように前面板８１の方へ折り返される。そして、右折り返し板７３の突出片９４が、前面板８１の端部のスリット９２に嵌められることによって、右折り返し板７３が係止される。
そして、蓋板８４と上面板７５とに固定部材６５が取り付けられて、第３実施形態の３Ｄビューワ１２０が組み立てられる。
【０１７７】
上記構成においては、前面板８１とレンズ取り付け部材とから前板部ＦＰが構成され、背面板８３から後板部ＢＰが構成される、また、上面板７５と上支持板８０とから上板部ＴＰが構成され、下面板７７と下支持板８２と貼着片９５とから下板部ＵＰが構成される。また、左側面板７０、左折り返し板７１、第１左支持板７４、第２左支持板７８、第１左裏板８８、および、第２左裏板８９から左板部ＬＰが構成され、右側面板７２、右折り返し板７３、右支持板７６、および、右裏板９０から右板部ＲＰが構成される。また、蓋板８４から蓋板部ＣＰが構成される。
【０１７８】
以上説明したように、第３実施形態の３Ｄビューワによれば、第１実施形態の（１），（２），（５）の効果に加えて、以下の効果が得られる。
（１３）上板部ＴＰおよび下板部ＵＰが、前板部ＦＰから収納空間Ｓｐとは反対側に突き出ているため、３Ｄビューワ１２０の使用者の視界に外部からの光が入ることがさらに抑えられる。したがって、携帯端末に表示される視差画像の視認性がさらに高められる。また、上板部ＴＰおよび下板部ＵＰにおいて前板部ＦＰから突き出ている部分の端部は、左右方向の中央部が窪むように湾曲しているため、上板部ＴＰおよび下板部ＵＰが、使用者の顔に沿って配置されやすく、これによっても使用者の視界に外部からの光が入ることが抑えられる。
【０１７９】
また、上板部ＴＰおよび下板部ＵＰにおいて前板部ＦＰから突き出ている部分の端部の少なくとも一部に、端部を補強する補強部材６１が取り付けられているため、使用者の顔と接し得る部分の強度が高められる。
【０１８０】
（１４）外光遮蔽部６２と外光遮蔽部６３との間の距離が、前板部ＦＰから離れるにつれて大きくなっているため、外光遮蔽部６２と外光遮蔽部６３とが使用者の顔に沿って配置されやすい。そのため、使用者の視界に外部からの光が入ることがさらに抑えられる。
【０１８１】
（１５）収納部６４の差し込み口１２を覆う蓋板部ＣＰが設けられているため、３Ｄビューワ１２０の使用中に、収納部６４から携帯端末が出ることが抑えられる。特に、蓋板部ＣＰと上板部ＴＰとが固定部材６５によって互いに固定されるため、収納部６４から携帯端末が出ることが的確に抑えられる。
【０１８２】
（変形例）
上記各実施形態は、以下のように変更して実施することが可能である。
・３Ｄビューワは、右レンズ２ｂと左レンズ２ａとを保持する前板部ＦＰと、前板部ＦＰから収納空間Ｓｐに向かって延びて、右空間と左空間とを取り囲む側板部とを有していれば、そのほかの構成要素は、構成要素の数量の増減を含め上記各実施形態と異なってもよい。例えば、３Ｄビューワは、延長部や鼻よけ部やサイズ変更部や位置規制部を有していなくてもよい。こうした構成によっても上記（１）の効果は得られる。
【０１８３】
・上記実施形態では、鼻よけ部は、前板部ＦＰおよび下板部ＵＰにおいて台形状の部分が視野空間Ｓｖに押し込まれるか、もしくは、くり抜かれることによって形成されたが、鼻よけ部は、視野空間Ｓｖ、すなわち、右空間と左空間とに向かって窪んでいれば、その形状は限定されない。
【０１８４】
・サイズ変更部の構成は、収納領域の大きさを変更可能であれば、第１および第２の実施形態の構成に限らず、収納空間Ｓｐを区画する部材とは別体の部材が収納空間Ｓｐ内に配置されることによってサイズ変更部が実現されてもよい。また、第１実施形態では、サイズ変更部は、収納領域の左右と下部との大きさを変更したが、サイズ変更部が大きさを変更する収納領域の部位はこれに限られない。
【０１８５】
・位置規制部の構成は、収納空間Ｓｐに収納された携帯端末の位置を規制する構成であれば、第１実施形態の構成に限らず、収納空間Ｓｐや視野空間Ｓｖを区画する部材とは別体の部材が収納空間Ｓｐ内や視野空間Ｓｖ内に配置されることによってサイズ構成部が実現されてもよい。また、第１実施形態では、収納空間Ｓｐおよび視野空間Ｓｖ内に突き出した凹設規制部としての側面側携帯端末固定部１３，１４によって携帯端末の下部が支持され、上板部ＴＰから下方向に延びる延設規制部としての上面側端末固定部３０によって携帯端末の上部が支持されたが、位置規制部の構成と携帯端末の支持位置はこれに限られない。例えば、凹設規制部によって携帯端末の上部が支持されてもよい。
【０１８６】
・第１実施形態における３Ｄビューワの構成要素と第３実施形態における３Ｄビューワの構成要素とは、その機能を発揮する範囲において互いに置換されてもよい。また、第２実施形態における３Ｄビューワの特徴的な構成要素が第３実施形態における３Ｄビューワに適用されてもよい。例えば、第１実施形態の３Ｄビューワは、第３実施形態のようにくり抜かれた鼻よけ部を有していてもよいし、収納部の差し込み口を覆う蓋部を有していてもよい。あるいは、第３実施形態の３Ｄビューワに、カメラ孔やイヤホンジャック孔等が形成されていてもよい。
【０１８７】
・第１実施形態の３Ｄビューワ１００の本体部分は、１つのブランク１０１から形成されたが、２以上のブランクから形成されてもよいし、ブランクからの組み立てに限らず、本体部分は樹脂製であって、複数の樹脂部材の組み付けによって形成されてもよい。同様に、第３実施形態の３Ｄビューワ１２０の本体部分は、２つのブランク１２１，１２２からの組み立てに限らず、３以上のブランクから形成されてもよいし、複数の樹脂部材の組み付けによって形成されてもよい。
【符号の説明】
【０１８８】
ＦＰ…前板部、ＢＰ…後板部、ＴＰ…上板部、ＵＰ…下板部、ＬＰ…左板部、ＲＰ…右板部、ＣＰ…蓋板部、Ｓｐ…収納空間、Ｓｖ…視野空間、１，８１…前面板、２…双眼レンズ部、２ａ…左レンズ、２ｂ…右レンズ、３，７７…下面板、４，６０…鼻よけ部、７，８…外光遮蔽板、５，７０…左側面板、６，７２…右側面板、９，７５…上面板、１０，８３…背面板、１１，６４…収納部、１２…差し込み口、１３，１４…側面側携帯端末固定部、１５，１６…左右サイズ調整部、１７，５５…下部サイズ調整部、１８，７９…仕切り板、３０…上面側端末固定部、５０…カメラ孔、５１…イヤホンジャック孔、５２…コネクタ孔、６２，６３…外光遮蔽部、１００，１１０，１２０…３Ｄビューワ。
【図１】
0006332145.tif 000002
【図２】
0006332145.tif 000003
【図３】
0006332145.tif 000004
【図４】
0006332145.tif 000005
【図５】
0006332145.tif 000006
【図６】
0006332145.tif 000007
【図７】
0006332145.tif 000008
【図８】
0006332145.tif 000009
【図９】
0006332145.tif 000010
【図１０】
0006332145.tif 000011
【図１１】
0006332145.tif 000012
【図１２】
0006332145.tif 000013
【図１３】
0006332145.tif 000014
【図１４】
0006332145.tif 000015
【図１５】
0006332145.tif 000016
【図１６】
0006332145.tif 000017
【図１７】
0006332145.tif 000018
【図１８】
0006332145.tif 000019
【図１９】
0006332145.tif 000020